(57)【要約】【課題】コイルスプリングを取り付けた変形可能な胴部を有することで、容器を非使用時に折りたたみ可能にする。【解決手段】  折りたたみ式ごみ箱１は、底面部２と、底面部２の周囲に沿って設けられた筒状の変形可能なシート材からなる胴部３と、胴部３の底面部２が設けられた側と反対側に設けられた開口部４と、胴部３の周囲に沿ってらせん状に取り付けられ、底面部２と開口部４との間を離すように働く弾性力を有するコイルスプリング５とを備えている。非使用時には折りたたみ式ごみ箱１を上下方向から圧縮することによって、胴部３が縮んだ状態となり容易に折りたたむことができる。また、使用時には、コイルスプリング５の弾性力によって、瞬時に胴部３が伸びた状態となり容量を確保することができる。【選択図】図１
2006021893.tif 000002
【特許請求の範囲】
【請求項１】
底面部と、
前記底面部の周囲に沿って設けられた筒状の変形可能なシート材からなる胴部と、
前記胴部の前記底面部が設けられた側と反対側に設けられた開口部と、
前記胴部の周囲に沿って取り付けられ、前記底面部と前記開口部とを離間させるように付勢するコイルスプリングとを備え、
前記胴部は縮んだ状態および伸びた状態の少なくとも２つの状態の間で変形可能であることを特徴とする折りたたみ式ごみ箱。
【請求項２】
前記底面部、前記胴部の筒形状、前記開口部および前記コイルスプリングの巻形状は円形であることを特徴とする請求項１に記載の折りたたみ式ごみ箱。
【請求項３】
さらに、前記胴部を縮んだ状態で保持する保持手段を備えることを特徴とする請求項１または２に記載の折りたたみ式ごみ箱。
【請求項４】
前記保持手段は、前記開口部の外周近傍に設けられた係止具と
前記底面部の外周近傍に設けられた被係止具とを備え、
前記係止具と前記被係止具とを係合されることによって、前記胴部を縮んだ状態で保持し、前記係止具と前記被係止具との係合が解除されることによって、瞬時に前記胴部が伸びた状態に変形するようにしたことを特徴とする請求項３に記載の折りたたみ式ごみ箱。
【請求項５】
前記係止具は、一方の端部が前記開口部の外周に接合されている軸部と、該軸部の他方の端部に設けられ、該軸部の断面積より大きい断面積を有する先端部とから構成され、
前記被係止具は、前記係止具が挿脱可能なループ状の紐体から構成されることを特徴とする請求項４に記載の折りたたみ式ごみ箱。
【請求項６】
さらに、前記開口部に開閉手段を備えることを特徴とする請求項１ないし５のいずれかに記載の折りたたみ式ごみ箱。
【請求項７】
前記開閉手段は、前記開口部内周に設けられた変形可能な蓋体と
該蓋体の内部に挿通されている紐とを備え、
前記紐を引張ることによって、前記蓋体が巾着状に前記開口部を閉塞することを特徴とする請求項６に記載の折りたたみ式ごみ箱。
【請求項８】
さらに、所定の設置個所に設置するための取付手段を備えることを特徴とする請求項１ないし７のいずれかに記載の折りたたみ式ごみ箱。
【発明の詳細な説明】
【技術分野】
【０００１】
本発明は、折りたたみ式ごみ箱に関し、より詳しくは、自動車の車内でごみ箱や小物入れとして好適に使用できる折りたたみ式ごみ箱に関する。
【背景技術】
【０００２】
例えば、自動車の車内でごみ箱や小物入れとして使用される容器は、プラスチック等の硬質な材料で作られている（例えば、ごみ箱として特許文献１参照）。したがって、非使用時すなわち内容物が存在しない場合でも、容器が車内の所定のスペースを占有する。また、容器の容量が大きくなるようにすればするほど、容器が占有するスペースも大きくなってしまうという問題があった。したがって、非使用時には容器を折りたたみ、占有するスペースを小さくすることで、ダッシュボードのグローブボックス等に保管しておくことができるようにすることが望ましい。
【０００３】
【特許文献１】特開平８−２１７２０１号公報
【発明の開示】
【発明が解決しようとする課題】
【０００４】
本発明は、上記従来の問題点を鑑みたものであり、その目的は、非使用時には車内のスペースを占有しないように、容器を上下方向から圧縮するだけで容易に折りたたむことができ、使用時には、ごみや小物を収納できるように、十分な容量を確保することができる折りたたみ式ごみ箱を提供することである。
【課題を解決するための手段】
【０００５】
このような目的は以下の（１）〜（８）の本発明により達成される。
（１）  底面部と、前記底面部の周囲に沿って設けられた筒状の変形可能なシート材からなる胴部と、前記胴部の前記底面部が設けられた側と反対側に設けられた開口部と、前記胴部の周囲に沿って取り付けられ、前記底面部と前記開口部とを離間させるように付勢するコイルスプリングとを備え、前記胴部は縮んだ状態および伸びた状態の少なくとも２つの状態の間で変形可能であることが好ましい折りたたみ式ごみ箱。
【０００６】
（２）  前記底面部、前記胴部の筒形状、前記開口部および前記コイルスプリングの巻形状は円形であることが好ましい（１）に記載の折りたたみ式ごみ箱。
【０００７】
（３）  さらに、前記胴部を縮んだ状態で保持する保持手段を備えることが好ましい（１）または（２）に記載の折りたたみ式ごみ箱。
【０００８】
（４）  前記保持手段は、前記開口部の外周近傍に設けられた係止具と前記底面部の外周近傍に設けられた被係止具とを備え、前記係止具と前記被係止具とを係合させることによって、前記胴部を縮んだ状態で保持し、前記係止具と前記被係止具との係合が解除されることによって、瞬時に前記胴部が伸びた状態に変形するようにしたことが好ましい（３）に記載の折りたたみ式ごみ箱。
【０００９】
（５）  前記係止具は、一方の端部が前記開口部の外周近傍に接合されている軸部と、該軸部の他方の端部に設けられ、該軸部の断面積より大きい断面積を有する先端部とから構成され、前記被係止具は、前記係止具が挿脱可能なループ状の紐体から構成されることが好ましい（４）に記載の折りたたみ式ごみ箱。
【００１０】
（６）  さらに、前記開口部に開閉手段を備えることが好ましい（１）ないし（５）のいずれかに記載の折りたたみ式ごみ箱。
【００１１】
（７）  前記開閉手段は、前記開口部内周に設けられた変形可能な蓋体と、該蓋体の内部に挿通されている紐とを備え、前記紐を引張ることによって、前記蓋体が巾着状に前記開口部を閉塞することが好ましい（６）に記載の折りたたみ式ごみ箱。
【００１２】
（８）  さらに、所定の設置個所に設置するための取付手段を備えることが好ましい（１）ないし（７）のいずれかに記載の折りたたみ式ごみ箱。
【００１３】
本発明の他の目的、作用および効果は、図面を参照して行う以下の実施形態の説明から、より明らかになるであろう。
【発明の効果】
【００１４】
本発明に係る折りたたみ式ごみ箱は、底面部に沿って設けられた変形可能なシート材からなる胴部に、底面部と開口部とを離間させるように取り付けられたコイルスプリングを備え、底面部と開口部との距離を変化させることによって、胴部が縮んだ状態および伸びた状態の少なくとも２つの状態の間で変位可能である。したがって、非使用時には上下方向から圧縮し、胴部が縮んだ状態で係止することによって、ダッシュボードのグローブボックス等に保管することができる。また、使用時には、係止を解除することによって、瞬時に胴部が伸びた状態となり十分な容量を確保することができる。
【発明を実施するための最良の形態】
【００１５】
以下、本発明の折りたたみ式ごみ箱を添付図面に示す好適な実施形態に基づいて詳細に説明する。
【００１６】
図１は、本発明に係る折りたたみ式ごみ箱の実施形態の全体構成の斜視図であり、胴部が伸びた状態を示す。図２は、図１に示す折りたたみ式ごみ箱の全体構成の斜視図であり、胴部が縮んだ状態を示す。図３は、コイルスプリングの斜視図である。図４は、図１に示す折りたたみ式ごみ箱の全体構成の斜視図であり、開口部が閉塞された状態を示す。
【００１７】
以下、各部の詳細について説明する。
図１に示すように、折りたたみ式ごみ箱１は、底面部２と、底面部２の周囲に沿って設けられた筒状の胴部３と、胴部３の底面部２が設けられた側と反対側に設けられた開口部４と、胴部３の周囲に沿って取り付けられたコイルスプリング５を備えている（図３参照）。
【００１８】
底面部２は、略円形状のナイロンのシート材から構成されている。底面部２の外周縁部と胴部３の下端とは、縫い代が折りたたみ式ごみ箱１の内側になるよう重ねられ、縫着される。
【００１９】
胴部３は、円筒形状の変形可能なナイロンのシート材から構成され、その円筒形状はコイルスプリング５によって保持される。また、胴部３の外面に縫着された布部との間に形成され、コイルスプリング５が挿通されるための中空の通路６がらせん状に設けられている。
【００２０】
コイルスプリング５は、金属からなる圧縮スプリングであり、胴部３に設けられた通路６内部に挿通されることによって、胴部３に取り付けられる。コイルスプリング５は、図３に示すように、底面部２と略同一形状の底部５ａと、開口部４と略同一形状で底部５ａと略平行関係にある上部５ｃと、底部５ａと上部５ｃとを連続的に接続するらせん部５ｂとから構成されている。
【００２１】
また、コイルスプリング５は、使用者が上下方向から荷重を加えることによって、容易に圧縮される程度のスプリング特性を有する。
【００２２】
開口部４は略円形状をなしており、その周縁はナイロンで構成されている保護部７が被装されている。
【００２３】
本実施形態では、胴部３は図１に示すように伸びた状態および、図２に示すように縮んだ状態の少なくとも２つの状態の間で変形可能であり、この胴部３を縮んだ状態を保持することができる保持手段８を備える。この保持手段８は、開口部４の外周近傍に取り付けられた係止具９と、底面部２の外周近傍に取り付けられた被係止具１０とから構成される。
【００２４】
本実施形態では、２つの係止具９が開口部４の外周近傍の略対向する位置に取り付けられ、２つの被係止具１０が底面部２の外周近傍のそれぞれ対応する位置に取り付けられている。
【００２５】
係止具９は、開口部４と保護部７との間に挟まれた状態で一端が取り付けられる軸部９ａと、軸部９ａの他端に設けられ軸部９ａの断面積より大きい断面積を有する先端部９ｂとから構成される。
本実施形態では、先端部９ｂは、軸部９ａを構成する紐体を結んだ結び玉からなる。
【００２６】
被係止具１０は、前述した底面部２の外周と胴部３の下端との間に挟まれた状態で取り付けられ、先端部９ｂが挿入可能な大きさを有するループ状の紐体から構成される。
【００２７】
図４に示すように、開口部４に設けられた開閉手段１１を備える。この開閉手段１１は、開口部４の内周に設けられた変形可能な蓋体１２と、この蓋体１２の内部に挿通されている紐１４とを備え、紐１４を引張ることによって、蓋体１２が絞られ、開口部４が閉塞される巾着式構造を備える。
【００２８】
蓋体１２は、変形可能なナイロンのシート材からなり、そのシート材を折り曲げ、略断面Ｕ字状にする。折曲部と略対向位置にある両端部は重ねられ保護部７と開口部４の間に挟まれた状態で、開口部４の内周に沿って縫着されることによって、蓋体１２の内部には紐１４を挿通されるための略環状の中空部が設けられる。また蓋体１２には、紐１４を中空部に挿入するための挿入孔（図示せず）が設けられる。
【００２９】
紐１４は、蓋体１２の内部の略環状の中空部にループ状に挿通され、紐１４の両先端は蓋体１２の挿入孔（図示せず）および、胴部３に設けられている円孔１５を通して、胴部３の外側に延出されている。
【００３０】
円孔１５は、周縁部に金属の保護部を備え、紐１４が円滑に出し入れできる効果を有する。
【００３１】
紐１４は、緊締具１６に挿通され、さらに両先端を結ぶことによって形成される玉留め１４ａが設けられており、緊締具１６は円孔１５から玉留め１４ａまでの間で移動および係止することができる。
【００３２】
本実施形態では、折りたたみ式ごみ箱１を所定の設置箇所に取り付けるための取付手段を備える。
【００３３】
図１に示すように、取付手段は、開口部４の外周近傍に備えられたリング状の係合具１７ａと、例えば、自動車の運転シートの裏側などの所定の設置位置に設けられたフック状の被係合具１７ｂとからなる。また、取付手段は、底面部２の下面に備えられた面ファスナー１８からなる。使用者はこれらの取付方法を少なくとも一つを選択することができる。
【００３４】
以下、図１、図２および図４を参照しつつ、本実施形態の使用方法および効果を説明する。
【００３５】
図２は、胴部３が縮んだ状態を示す。係止具９をなす紐体と結び玉が被係止具１０をなすループ状の紐体に挿入されると、紐体と結び玉との間の段差にループ状の紐体が掛着するため、保持手段８は底面部２と開口部４とを離間させるように付勢するコイルスプリング５の弾性力に逆らって、縮んだ状態を維持する。したがって、非使用時には、折りたたみ式ごみ箱１の占有するスペースを小さくし、グローブボックス等に保管することができる。
【００３６】
また、被係止具１０をなすループ状の紐体から、係止具９をなす紐体と結び玉を抜脱することによって、コイルスプリング５が底面部２と開口部４とを離間させ、図１に示す胴部３が伸びた状態へと瞬時に変形する。したがって、折りたたみ式ごみ箱１は十分な容量が確保され、ごみや小物などを収納することができる。
【００３７】
図４では、開口部４が閉塞された状態を示す。円孔１５から胴部３の外側に延出している紐１４を引張ると、蓋体１２の中空部にループ状に挿通されている紐１４が蓋体１２の折曲部を絞ることによって、開口部４を巾着状に閉塞する。この状態で、緊締具１６を円孔１５近傍で係止することによって、蓋体１２の中空部にループ状に挿通されている紐１４の長さは規制され、閉じた状態が維持される。これにより、収納されたごみや小物が開口部４から外部へ飛び出すことを防ぐことができる。
【００３８】
一方、図１に示すように、蓋体１２が開いた状態にするには、緊締具１６の位置を玉留め１４ａの方向に移動させることによって、紐１４の規制は解除される。この状態で蓋体１２の閉塞中心部１３に指などを挿入し、蓋体１２の折曲部の絞りを緩め、蓋体１２を胴部３の内面に沿って密着するように変形および配置させる。これにより十分に開いた開口部４からごみや小物などを投入することができる。
【００３９】
開口部４の外周近傍に備えられたリング状の係合具１７ａは、所定の設置箇所に設けられたフック状の被係合具１７ｂに係合させることにより、折りたたみ式ごみ箱１を設置する。また、底面部２の下面に備えられた面ファスナー１８は、所定の設置箇所の繊維表面に係合させることにより、折りたたみ式ごみ箱１を設置する。これらの取付手段によって、自動車の車内のような揺動する空間でも、折りたたみ式ごみ箱１を容易に使用することができる。
【００４０】
例えば、本実施形態において、底面部２、胴部３の筒形状、開口部４およびコイルスプリング５の巻形状は円形状であるが、これらの形状が多角形（例えば四角形）であってもよい。
【００４１】
また、底面部２を構成する材料は、本実施形態のナイロンに限定されるものではなく、布、皮、合成皮革、合成樹脂、金属、木材などのいずれか、またはこれらの組み合わせた材料から構成されてもよい。
【００４２】
また、胴部３を構成する材料は、本実施形態のナイロンに限定されるものではなく、布、皮、合成皮革、合成樹脂などのいずれか、またはこれらの組み合わせた変形可能な材料から構成されてもよい。
【００４３】
また、本実施形態においては、コイルスプリング５は金属製であるが、ゴム、合成樹脂およびセラミックス製であってもよい。
【００４４】
また、本実施形態においては、コイルスプリング５は胴部３に設けられた通路６内を挿通されることによって取り付けられているが、コイルスプリング５の上部５ｃおよび底部５ａがそれぞれ開口部４および底面部２に固定されるだけでもよい。もしくはコイルスプリング５のらせん部５ｂが胴部３に直接固定されてもよい。
【００４５】
本実施形態においては、取り付けられている係止具９および被係止具１０はそれぞれ２つであるが、３つ以上であってもよく、その場合の取付位置は開口部４および底面部２の外周に沿って等間隔でなくてもよい。
【００４６】
軸部９ａの長さを延ばし、その軸部９ａに複数の結び玉を設けることによって容量を段階的に変化させてもよい。
【００４７】
また、軸部９ａの長さを延ばし、その軸部９ａに挿通された状態で任意の位置に移動および係止可能な緊締具を被係止具１０に挿入し、掛着されることによって、任意の容量に変化させてもよい。
【００４８】
また、本実施形態においては、保持手段８として係止具９をなす紐体および結び玉と被係止具１０をなすループ状の紐体とを用いたが、ファスナー、面ファスナー、ボタンとボタン孔、ホック、マグネットボタン、フックとループ状の紐体、トックルとループ状の紐体、バックルなどのいずれか、またはこれらの組み合わせからなる保持手段を用いてもよい。
【００４９】
また、本実施形態においては、開閉手段１１として蓋体１２と紐１４からなる巾着式構造を用いたが、ファスナー、面ファスナー、ボタンとボタン孔、ホック、マグネットボタンなどのいずれか、またはこれらの組み合わせからなる開閉手段を用いてもよい。
【００５０】
また、本実施形態においては、蓋体１２は変形可能なシート材からなるが、他の変形可能な材料もしくは硬質な材料でもよい。
【００５１】
また、本実施形態においては、取付手段としてリング状の係合具１７ａおよびフック状の被係合具１７ｂと、面ファスナー１８とを用いたが、マグネット等の取付手段を用いてもよい。
【００５２】
以上、本発明の好適な実施形態に基づいて説明したが、本発明は当該実施形態に限定されるものではない。たとえば、本発明の折りたたみ式ごみ箱１の底面部２および胴部３に耐水性の材料を使用することによって、液体用の容器としても使用できる。
【図面の簡単な説明】
【００５３】
【図１】本発明に係る折りたたみ式ごみ箱の実施形態の全体構成の斜視図であり、胴部が伸びた状態を示す。
【図２】図１に示す折りたたみ式ごみ箱の全体構成の斜視図であり、胴部が縮んだ状態を示す。
【図３】コイルスプリングの斜視図である。
【図４】図１に示す折りたたみ式ごみ箱の全体構成の斜視図であり、開口部が閉塞された状態を示す。
【符号の説明】
【００５４】
１      折りたたみ式ごみ箱
２      底面部
３      胴部
４      開口部
５      コイルスプリング
５ａ    底部
５ｂ    らせん部
５ｃ    上部
６      通路
７      保護部
８      保持手段
９      係止具
９ａ    軸部
９ｂ    先端部
１０    被係止具
１１    開閉手段
１２    蓋体
１３    閉塞中心部
１４    紐
１４ａ  玉留め
１５    円孔
１６    緊締具
１７ａ  リング状の係合具
１７ｂ  フック状の被係合具
１８    面ファスナー
【図１】
2006021893.tif 000003
【図２】
2006021893.tif 000004
【図３】
2006021893.tif 000005
【図４】
2006021893.tif 000006